(57)【特許請求の範囲】
【請求項１】
電柱に設置された電力機器から前記電柱の外周面上を前記電柱の長手方向に沿って引き下げられる接地線のうち、前記電力機器側に分離される第１接地線と、グランド側に分離される第２接地線と、を接続又は開放する接地抵抗測定端子装置であって、
前記第１接地線を一定の高さまで覆う第１防護管と連結される第１連結管と、前記第２接地線を覆う第２防護管と連結される第２連結管と、第１挿入口から前記第１連結管を通って前記第１防護管まで連通する第１端子室、及び、第２挿入口から前記第２連結管を通って前記第２防護管まで連通する第２端子室、を有し、前記第１連結管及び前記第２連結管の間に介在する端子管と、を含んで構成される連結管と、
前記第１挿入口から前記第１端子室に設置されるとともに前記第１接地線と接続される第１端子と、
前記第２挿入口から前記第２端子室に設置されるとともに前記第２接地線と接続される第２端子と、
前記第１端子及び前記第２端子の間を接続又は開放する導通板と、
前記第１端子室及び前記第２端子室が隠れるように前記端子管を覆うカバーと、
を備えたことを特徴とする接地抵抗測定端子装置。
【請求項２】
前記第１端子及び前記第２端子には、前記導通板が取り外された状態において、接地抵抗を測定する測定機器が接続される
ことを特徴とする請求項１に記載の接地抵抗測定端子装置。
【請求項３】
前記第１端子は、前記第１接地線が挿入されて圧着される第１圧着孔と、前記導通板の一端が着脱自在に装着される第１装着面と、を有し、
前記第２端子は、前記第２接地線が挿入されて圧着される第２圧着孔と、前記導通板の他端が着脱自在に装着される第２装着面と、を有する
ことを特徴とする請求項１に記載の接地抵抗測定端子装置。
【請求項４】
前記第１連結管は、前記第１防護管が挿入されて嵌合される第１嵌合溝を有し、
前記第２連結管は、前記第２防護管が挿入されて嵌合される第２嵌合溝を有する
ことを特徴とする請求項１に記載の接地抵抗測定端子装置。
【請求項５】
前記端子管は、前記第１端子室及び前記第２端子室を区切る絶縁壁を有する
ことを特徴とする請求項１に記載の接地抵抗測定端子装置。
【請求項６】
前記カバーは、前記端子管の軸方向に沿って切れ目を有する管形状を呈し、合成樹脂で形成されることを特徴とする請求項１に記載の接地抵抗測定端子装置。
【請求項７】
前記連結管は、第１合成樹脂で形成され、
前記カバーは、前記第１合成樹脂より柔らかい第２合成樹脂で形成される
ことを特徴とする請求項６に記載の接地抵抗測定端子装置。
【発明の詳細な説明】
【技術分野】
【０００１】
本発明は、電柱に設置されている柱上変圧器等の電力機器の接地線の接地抵抗を測定するための接地抵抗測定端子装置に関する。
【背景技術】
【０００２】
電柱の上部には、電力機器の一例として、一次側（送電側）の高圧電圧を二次側（需要家側）の低圧電圧に変換する柱上変圧器が設置されている。需要家に対して単相三線式の電力が供給される場合、柱上変圧器の二次側の中性線や柱上変圧器の外部筐体は、対地間事故が生じても、需要家における感電被害や負荷（機器）の損傷を最小限に止めることを目的として、接地線を用いて接地されている。
【０００３】
図１２は、接地線が電柱に固定されている様子を示す図である。
【０００４】
柱上変圧器の二次側の中性線や外部筐体に接続されている接地線１０１は、電柱１０２の外周面上を電柱１０２の長手方向に沿って引き下げられ、末端がグランドＧに埋設されている。また、接地線１０１は、電柱１０２の複数の高さ位置において複数の金属バンド１０３が電柱１０２の外周面の円周方向に沿って引き回されて、電柱１０２の外周面に固定されている。また、電気設備技術基準第２０条の規定に従って、電柱１０２に固定されている接地線１０１のうち地上から一定の高さ（例えば２ｍ）までの接地線１０１は、絶縁性を有する材料（例えば合成樹脂材料）を用いて管状に形成された斜線のアースモール１０４で覆われて防護されている。アースモール１０４は、アースモール１０４より高い位置に在る接地線１０１の固定方法と同様に、電柱１０２の複数の高さ位置において複数の金属バンド１０３が電柱１０２の外周面の円周方向に沿って引き回されて、電柱１０２の外周面に固定されている。尚、アースモール１０４は、例えば、接地線１０１が挿入された後に電柱１０２に固定されるような筒形状を呈している場合もあれば、電柱１０２の長手方向に沿って接地線１０１を挟む切れ目を有する筒形状を呈している場合もある（例えば特許文献１）。
【先行技術文献】
【特許文献】
【０００５】
【特許文献１】実開平６−４１３３２号公報
【発明の概要】
【発明が解決しようとする課題】
【０００６】
接地線１０１が正常に機能しているか否かを定期的に点検するために、接地線１０１に対して接地抵抗を測定する測定機器を接続するための測定端子を設ける必要がある。例えば、アースモール１０４より高い位置において露出している接地線１０１を分断し、柱上変圧器側の接地線１０１の末端及びグランド側の接地線１０１の末端に一対の測定端子を接続し、接地線１０１の接地抵抗を測定するとき、一対の測定端子同士を開放した状態で当該一対の測定端子に測定機器を接続している。
【０００７】
しかし、一対の測定端子をアースモール１０４より高い位置に設ける必要があるため、接地線１０１に一対の測定端子を接続したり、当該一対の測定端子に測定機器を接続したりする場合、作業員は例えば脚立を登って不安定な状態で作業を行わなければならず、作業性が悪い問題があった。また、電柱１０２の周囲の地上高が盛土や住宅環境の変化に起因して高くなると、そのグランドＧを基準とするアースモール１０４の地上高が電気設備技術基準第２０条に規定される地上高より低くなってしまう問題もあった。
【０００８】
本発明は、上記問題を解決する接地抵抗測定端子装置を提供することを目的とする。
【課題を解決するための手段】
【０００９】
前述した課題を解決する主たる本発明は、電柱に設置された電力機器から前記電柱の外周面上を前記電柱の長手方向に沿って引き下げられる接地線のうち、前記電力機器側に分離される第１接地線と、グランド側に分離される第２接地線と、を接続又は開放する接地抵抗測定端子装置であって、前記第１接地線を一定の高さまで覆う第１防護管と連結される第１連結管と、前記第２接地線を覆う第２防護管と連結される第２連結管と、第１挿入口から前記第１連結管を通って前記第１防護管まで連通する第１端子室、及び、第２挿入口から前記第２連結管を通って前記第２防護管まで連通する第２端子室、を有し、前記第１連結管及び前記第２連結管の間に介在する端子管と、を含んで構成される連結管と、前記第１挿入口から前記第１端子室に設置されるとともに前記第１接地線と接続される第１端子と、前記第２挿入口から前記第２端子室に設置されるとともに前記第２接地線と接続される第２端子と、前記第１端子及び前記第２端子の間を接続又は開放する導通板と、前記第１端子室及び前記第２端子室が隠れるように前記端子管を覆うカバーと、を備えたことを特徴とする。
【００１０】
本発明の他の特徴については、添付図面及び本明細書の記載により明らかとなる。
【発明の効果】
【００１１】
本発明によれば、接地線に対して接地抵抗を測定する測定機器を接続するための端子を設けたり、当該端子に測定機器を接続したりする場合の、作業員の作業性を向上させることが可能になる。
【図面の簡単な説明】
【００１２】
【図１】本実施形態に係る接地抵抗測定端子装置が電柱に適用された状態を示す図である。
【図２】本実施形態に係る接地抵抗測定端子装置を示す斜視図である。
【図３】本実施形態に係る接地抵抗測定端子装置を示す他の斜視図である。
【図４】本実施形態に係る接地抵抗測定端子装置を示す他の斜視図である。
【図５】本実施形態に係る接地抵抗測定端子装置の端子に接地線が接続される前の状態を示す斜視図である。
【図６】本実施形態に係る接地抵抗測定端子装置の端子に接地線が接続された後の状態を示す斜視図である。
【図７】本実施形態に係る接地抵抗測定端子装置を示す他の斜視図である。
【図８】本実施形態に係る接地抵抗測定端子装置を示す他の斜視図である。
【図９】本実施形態に係る接地抵抗測定端子装置を示す他の斜視図である。
【図１０】本実施形態に係る接地抵抗測定端子装置を示す他の斜視図である。
【図１１】本実施形態に係る接地抵抗測定端子装置を構成する連結管の一例を示す平面図である。
【図１２】接地線及びアースモールが電柱に固定された状態を示す図である。
【発明を実施するための形態】
【００１３】
本明細書および添付図面の記載により、少なくとも以下の事項が明らかとなる。
【００１４】
＝＝＝接地抵抗測定端子装置の電柱設置例＝＝＝
図１を参照して、本実施形態に係る接地抵抗測定端子装置が電柱に適用された状態について説明する。
【００１５】
電柱１の上部には電力機器として例えば柱上変圧器（不図示）が設置されている。対地間事故が発生しても、需要家側の感電被害や負荷（機器）の損傷を最小限に止めるため、柱上変圧器における二次側の中性線や耐食鋼材からなる外部筐体には接地線２が接続されている。接地線２は電柱１の外周面上を電柱１の長手方向に沿って引き下げられ、接地線２の末端はグランドＧに埋設されている。ここで、本実施形態に係る接地抵抗測定端子装置３が電柱１に設置される関係上、接地線２は、接地抵抗測定端子装置３の設置位置を境として、柱上変圧器側の接地線２Ａ（第１接地線）及びグランド側の接地線２Ｂ（第２接地線）に分離されている。接地抵抗測定端子装置３は、接地線２Ａの下端及び接地線２Ｂの上端に接続され、接地線２Ａ及び接地線２Ｂを接続又は開放する装置である。接地抵抗測定端子装置３は、作業員が接地線２Ａ及び接地線２Ｂを接続又は開放する作業が容易になるように、例えば地上高１〜１．５ｍの範囲に設置される。接地抵抗測定端子装置３のその他の詳細については後述する。アースモール４Ａ（第１防護管）は、絶縁性を有する材料（例えば合成樹脂材料）を用いて管状（例えば円筒状）に形成された防護管である。アースモール４Ａは、接地線２Ａが挿入されるとともに接地抵抗測定端子装置３の上端に結合されている。アースモール４Ａは、接地線２Ａのうち、接地抵抗測定端子装置３の上端から地上高Ｔ（例えば３ｍ）までの間に位置する接地線２Ａを覆って防護している。尚、アースモール４Ａが設置される際の地上高Ｔは、電気設備技術基準第２０条の規定に従って定められている。同様に、アースモール４Ｂ（第２防護管）は、絶縁性を有する材料（例えば合成樹脂材料）を用いて管状（例えば円筒状）に形成された防護管である。アースモール４Ｂは、接地線２Ｂが挿入されるとともに接地抵抗測定端子装置３の下端に結合されている。アースモール４Ｂは、接地抵抗測定端子装置３の下端からグランドＧまでの間に位置する接地線２Ｂを覆って防護している。露出する接地線２Ａ及びアースモール４Ａ，４Ｂは、電柱１の複数の高さ位置において複数の金属バンド５が電柱１の外周面の円周方向に沿って引き回されて、電柱１の外周面に固定されている。
【００１６】
＝＝＝接地抵抗測定端子装置の構成＝＝＝
図２、図９、図１１を参照して、本実施形態に係る接地抵抗測定端子装置の構成について説明する。尚、Ｘ軸は端子３４，３５が端子管３３に挿入される方向を示している。Ｙ軸はＸ軸に直交し、Ｘ軸及びＹ軸で形成される平面は電柱１の外周面に直交している。Ｚ軸はＸ軸及びＹ軸で形成される平面に直交し、電柱１の外周面に沿う方向を示している。そして、Ｘ軸、Ｙ軸、Ｚ軸の矢印の方向を＋側とし、矢印の反対方向を−側として説明する。
【００１７】
接地抵抗測定端子装置３は、連結管３１（第１連結管）、連結管３２（第２連結管）、端子管３３、端子３４（第１端子）、端子３５（第２端子）、導通板３６、カバー３７を含んで構成される。連結管３１、３２、端子管３３、カバー３７は、絶縁性を有する材料（例えば合成樹脂材料）を用いて形成されている。端子３４，３５及び導通板３６は、導電性を有する材料を用いて形成されている。連結管３１，３２及び端子管３３は一体形成されている。カバー３７は、連結管３１，３２及び端子管３３の肉厚と同一の肉厚を有するとともに、連結管３１，３２及び端子管３３の材料より軟質の材料を用いて形成されている。若しくは、カバー３７は、連結管３１，３２及び端子管３３の肉厚より薄い肉厚を有するとともに、連結管３１，３２及び端子管３３の材料と同一の材料で形成されてもよい。
【００１８】
連結管３１は円筒形状を呈し、連結管３１の内側にはＺ軸を＋側から−側へ向かって見たときに同心円になる嵌合溝３１Ａ（第１嵌合溝）が形成されている。嵌合溝３１Ａにはアースモール４Ａの末端（Ｚ軸の−側）が挿入されて嵌合する。同様に、連結管３２は円筒形状を呈し、連結管３２の内側にはＺ軸を−側から＋側へ向かって見たときに同心円になる嵌合溝３２Ａ（第２嵌合溝）が形成されている。嵌合溝３２Ａにはアースモール４Ｂの末端（Ｚ軸の＋側）が挿入されて嵌合する。
【００１９】
端子管３３は、円筒のうち電柱１の外周面とは反対側の一部がＹ軸及びＺ軸で形成される平面に沿って切り取られた形状を呈している。端子管３３は、連結管３１，３２の間に挟まれるとともに連結管３１，３２に対して窪んだ状態で一体的に形成されている。端子管３３の内側には、端子室３３Ａ（第１端子室）及び端子室３３Ｂ（第２端子室）が絶縁壁３３Ｃで区切られて形成されている。端子室３３Ａは連結管３１に連通し、端子室３３Ｂは連結管３２に連通している。
【００２０】
端子３４は、Ｙ軸を＋側へ向かって見たときにＬ字形状を呈する立方体である。端子３４は、圧着孔３４Ａ及び螺子孔３４Ｂ,３４Ｃを有している。圧着孔３４Ａは、接地線２Ａが引き下げられるＺ軸に沿ってＺ軸の＋側から穿設されている。圧着孔３４Ａは例えば円柱形状を呈している。圧着孔３４Ａには接地線２Ａの下端が挿入される。螺子孔３４Ｂは、Ｘ軸に沿ってＸ軸の−側から穿設されて圧着孔３４Ａの内周面まで貫通している。螺子孔３４Ｂには、導電性を有する螺子３８が螺合される。このとき、螺子３８は、螺子３８の先端が圧着孔３４Ａの内周面を貫通する位置まで挿入される。螺子孔３４Ｃは、螺子孔３４Ｂの位置に対してＸ軸及びＺ軸の−側の位置に設けられている。螺子孔３４Ｃは、Ｘ軸に沿ってＸ軸の−側から穿設されている。螺子孔３４Ｃには、導電性を有する螺子３９が螺合される。
【００２１】
端子３５は、Ｙ軸を＋側へ向かって見たときにＬ字形状を呈する立方体である。端子３５は、圧着孔３５Ａ及び螺子孔３５Ｂ,３５Ｃを有している。圧着孔３５Ａは、接地線２Ｂが引き下げられるＺ軸に沿ってＺ軸の−側から穿設されている。圧着孔３５Ａは例えば円柱形状を呈している。圧着孔３５Ａには接地線２Ｂの上端が挿入される。螺子孔３５Ｂは、Ｘ軸に沿ってＸ軸の−側から穿設されて圧着孔３５Ａの内周面まで貫通している。螺子孔３５Ｂには、導電性を有する螺子４０が螺合される。このとき、螺子４０は、螺子４０の先端が圧着孔３５Ａの内周面を貫通する位置まで挿入される。螺子孔３５Ｃは、螺子孔３５Ｂの位置に対してＸ軸の−側及びＺ軸の＋側の位置に設けられている。螺子孔３５Ｃは、Ｘ軸に沿ってＸ軸の−側から穿設されている。螺子孔３５Ｃには、導電性を有する螺子４１が螺合される。このように、端子３４，３５は、Ｘ軸及びＹ軸で形成される平面を境に対称な形状を呈している。
【００２２】
導通板３６は、導電性を有する材料で形成され、端子３４，３５の間を接続又は開放する。導通板３６は、螺子３９，４１が螺子孔３４Ｃ，３５Ｃに夫々螺合される際に、螺子３９，４１及び螺子孔３４Ｃ，３５Ｃの間に配置される。つまり、螺子３９，４１が導通板３６を介して螺子孔３４Ｃ，３５Ｃに夫々螺合されると、導通板３６は螺子孔３４Ｃの周囲の面３４Ｄ（第１装着面）及び螺子孔３５Ｃの周囲の面３５Ｄ（第２装着面）に接触し、端子３４，３５は導通することになる。
【００２３】
カバー３７は、Ｚ軸に沿って切れ目を有している。カバー３７は、端子管３３の端子室３３Ａ，３３Ｂが隠れるように、カバー３７自体の弾性力に抗して切れ目３７Ａを開きながら端子管３３に装着される。カバー３７は、連結管３１，３２に対して段差を生じることなく端子管３３に装着される。尚、カバー３７に対して切れ目３７Ａの端を内側に折り曲げた一対の爪を設けるとともに、端子管３３に対して一対の爪が引っ掛かる一対の溝を設ければ、カバー３７は端子管３３に一層確実に装着されることになる。
【００２４】
＝＝＝接地抵抗測定端子装置の設置手順＝＝＝
図１乃至図１０を参照して、本実施形態に係る接地抵抗測定端子装置の設置手順について説明する。
【００２５】
先ず、端子３４を挿入口３３Ｄ（第１挿入口）から端子室３３Ａに挿入し、端子３５を挿入口３３Ｅ（第２挿入口）から端子室３３Ｂに挿入する。そして、端子３４のＺ軸の−側の面３４Ｅが絶縁壁３３ＣのＺ軸の＋側の面３３ＣＡに対向して接触するとともに端子３５のＺ軸の＋側の面３５Ｅが絶縁壁３３ＣのＺ軸の−側の面３３ＣＢに対向して接触した状態で、螺子３９，４１を導通板３６を挟んだ状態で螺子孔３４Ｃ，３５Ｃに夫々螺合する。これにより、図３に示されるように、端子３４，３５は、電気的に接続された状態で端子室３３Ａ，３３Ｂに固定されて設置される。
【００２６】
次に、接地線２Ａの下端を連結管３１を通して端子３４の圧着孔３４Ａに挿入し、螺子３８を螺子孔３４Ｂに螺合する。また、接地線２Ｂの上端を連結管３２を通して端子３５の圧着孔３５Ａに挿入し、螺子４０を螺子孔３５Ｂに螺合する。これにより、図７に示されるように、接地線２Ａ，２Ｂは電気的に接続された状態になる。尚、アースモール４Ａの形状に応じて、接地線２Ａは、圧着孔３４Ａに挿入される前にアースモール４Ａに挿入されていてもよいし、圧着孔３４Ａに挿入された後にアースモール４Ａに挿入されてもよい。同様に、アースモール４Ｂの形状に応じて、接地線２Ｂは、圧着孔３５Ａに挿入される前にアースモール４Ｂに挿入されていてもよいし、圧着孔３５Ａに挿入された後にアースモール４Ｂに挿入されてもよい。
【００２７】
次に、アースモール４Ａの下端を連結管３１の嵌合溝３１Ａに挿入し、アースモール４Ａを連結管３１に嵌合する。また、アースモール４Ｂの上端を連結管３２の嵌合溝３２Ａに挿入し、アースモール４Ｂを連結管３２に嵌合する。これにより、図８に示されるように、連結管３１，３２及び端子管３３は、接地線２Ａ，２Ｂを電気的に接続した状態でアースモール４Ａ，４Ｂと一体になり、地上高から一定の高さに保持される。
【００２８】
次に、カバー３７の切れ目３７Ａを端子室３３Ａ，３３Ｂに向けた状態で、切れ目３７Ａをカバー３７自体の弾性力に抗して矢印の方向に開きながらカバー３７を端子管３３に装着する。これにより、図１０に示されるように、端子３４，３５は、カバー３７に覆われて風雨等の外的要因から保護される状態になる。尚、カバー３７を端子管３３に装着するタイミングは、アースモール４Ａ，４Ｂを連結管３１，３２に嵌合する前のタイミングであってもよい。
【００２９】
＝＝＝接地抵抗の測定機器の設置手順＝＝＝
先ず、カバー３７の切れ目３７をカバー３７自体の弾性力に抗して開きながらカバー３７を端子管３３から取り外し、端子３４，３５を露出させる。
【００３０】
次に、螺子孔３４Ｃ，３５Ｃから螺子３９，４１を取り外すとともに導通板３６を取り除いて、端子３４，３５の間の電気的な接続を開放する。
【００３１】
次に、接地線２Ａ，２Ｂの接地抵抗を測定する測定機器（不図示）の２端子を端子３４，３５に接続する。これにより、接地線２Ａ，２Ｂの接地抵抗を測定し、接地線２Ａ，２Ｂに不具合があるか否かを確認することが可能になる。
【００３２】
接地線２Ａ，２Ｂの接地抵抗の測定が完了したら、端子３４，３５から測定機器を取り外し、螺子３９，４１を導通板３６を介して螺子孔３４Ｃ，３５Ｃに螺合し、カバー３７を端子管３３に装着すればよい。
【００３３】
尚、端子３４，３５に対する測定機器の端子の接続方法として、測定機器の端子を例えばワニ口クリップの形状にして螺子孔３４Ｃ，３５Ｃに挟みこんで接続してもよい。
【００３４】
以上説明したように、電柱１に設置された柱上変圧器から電柱１の外周面上を電柱１の長手方向に沿って引き下げられる接地線２のうち、柱上変圧器側に分離される接地線２Ａと、グランドＧ側に分離される接地線２Ｂと、を接続又は開放する接地抵抗測定端子装置３であって、接地線２Ａを一定の高さまで覆うアースモール４Ａと連結される連結管３１と、接地線２Ｂを覆うアースモール４Ｂと連結される連結管３２と、挿入口３３Ｄから連結管３１を通ってアースモール４Ａまで連通する端子室３３Ａ、及び、挿入口３３Ｅから連結管３２を通ってアースモール４Ｂまで連通する端子室３３Ｂ、を有し、連結管３１及び連結管３２の間に介在する端子管３３と、を含んで構成される連結管と、挿入口３３Ｄから端子室３３Ａに設置されるとともに接地線２Ａと接続される端子３４と、挿入口３３Ｅから端子室３３Ｂに設置されるとともに接地線２Ｂと接続される端子３５と、端子３４，３５の間を接続又は開放する導通板３６と、端子室３３Ａ，３３Ｂが隠れるように端子管３３を覆うカバー３７と、を備えている。これにより、接地抵抗測定端子装置３はアースモール４Ａ，４Ｂの間に挟まれて設置されるため、接地線２Ａ，２Ｂに端子３４，３５を接続したり、端子３４，３５に測定機器を接続したりする場合、作業員は地上に立った状態で安定して作業を行うことが可能になる。また、接地抵抗測定端子装置３はアースモール４Ａより低い位置に設置されるため、アースモール４Ａの地上高を電気設備技術基準第２０条に規定される地上高より予め十分に高くしておき、電柱１の周囲の地上高が盛土や住宅環境の変化に起因して高くなったとしても、そのグランドＧを基準とするアースモール４Ａの地上高が電気設備技術基準第２０条に規定される地上高より低くなることを防止することが可能になる。
【００３５】
また、端子３４，３５には、導通板３６が取り外された状態において、接地抵抗を測定する測定機器が接続される。これにより、測定機器は端子３４，３５に確実に接続される。
【００３６】
また、端子３４は、接地線２Ａが挿入されて圧着される圧着孔３４Ａと、導通板３６の一端が着脱自在に装着される面３４Ｄと、を有し、端子３５は、接地線２Ｂが挿入されて圧着される圧着孔３５Ａと、導通板３６の他端が着脱自在に装着される面３５Ｄと、を有する。これにより、接地線２Ａ，２Ｂは端子３４，３５に確実に接続され、端子３４，３５は確実に接続又は開放される。
【００３７】
また、連結管３１は、アースモール４Ａが挿入されて嵌合される嵌合溝３１Ａを有し、連結管３２は、アースモール４Ｂが挿入されて嵌合される嵌合溝３２Ａを有する。これにより、接地抵抗測定端子装置３はアースモール４Ａ，４Ｂに対して確実に一体になる。
【００３８】
また、端子管３３は、端子室３３Ａ，３３Ｂを区切る絶縁壁３３Ｃを有する。これにより、端子３４，３５は、導通板３６が取り外されたときに確実に開放された状態になる。
【００３９】
また、カバー３７は、端子管３３の軸方向に沿って切れ目３７Ａを有する管形状を呈し、合成樹脂で形成される。これにより、カバー３７は端子管３３に対して容易に装着される。
【００４０】
また、連結管３１，３２及び端子管３３からなる連結管は硬質の合成樹脂で形成され、カバー３７は上記の連結管の材料である硬質の合成樹脂より柔らかい軟質の合成樹脂で形成される。これにより、カバー３７は端子管３３に対して一層容易に装着される。
【００４１】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４２】
１  電柱
２Ａ，２Ｂ  接地線
３  接地抵抗測定端子装置
４Ａ，４Ｂ  アースモール
３１、３２  連結管
３１Ａ，３２Ａ  嵌合溝
３３  端子管
３３Ａ，３３Ｂ  端子室
３３Ｃ  絶縁壁
３３Ｄ，３３Ｅ  挿入口
３４，３５  端子
３４Ａ，３５Ａ  圧着孔
３４Ｂ，３４Ｃ，３５Ｂ，３５Ｃ  螺子孔
３６  導通板
３７  カバー
３７Ｃ  切れ目
【図１】
0005869060.tif 000002
【図２】
0005869060.tif 000003
【図３】
0005869060.tif 000004
【図４】
0005869060.tif 000005
【図５】
0005869060.tif 000006
【図６】
0005869060.tif 000007
【図７】
0005869060.tif 000008
【図８】
0005869060.tif 000009
【図９】
0005869060.tif 000010
【図１０】
0005869060.tif 000011
【図１１】
0005869060.tif 000012
【図１２】
0005869060.tif 000013